(57)【要約】【課題】  住宅の外壁にイルミネーションの配線を這わせることなく、昼間の外観意匠を崩さずに、軒樋内にイルミネーションライトを取付けて、従来目立たせることのなかった軒樋をイルミネーションによって飾る、軒樋イルミネーション構造およびこれに使用されるイルミネーションライト取付け部材を提供する。【解決手段】  軒樋２の内側に取付けられたイルミネーションライト取付け部材３にイルミネーションライト４１が取付けられていて、イルミネーションライト本体４２および配線４４が軒樋２内に内蔵されるとともに、イルミネーションライト発光部４３が軒樋２の外側に露出していることを特徴とする。【選択図】図１
2008267063.tif 000002
【特許請求の範囲】
【請求項１】
軒樋の内側に取付けられたイルミネーションライト取付け部材にイルミネーションライトが取付けられていて、イルミネーションライト本体および配線が軒樋内に内蔵されるとともに、イルミネーションライト発光部が軒樋の外側に露出していることを特徴とする軒樋イルミネーション構造。
【請求項２】
請求項１に記載の軒樋イルミネーション構造に使用されるイルミネーションライト取付け部材。
【請求項３】
軒樋の前壁面先端の前方耳部を覆い嵌合する耳受け部と、イルミネーションライト本体を挟持するクリップ部とが設けられていることを特徴とする請求項２に記載のイルミネーションライト取付け部材。
【請求項４】
イルミネーションライト取付け部材のクリップ部の後方には、イルミネーションライトの挿入孔が設けられていることを特徴とする請求項３に記載のイルミネーションライト取付け部材。
【発明の詳細な説明】
【技術分野】
【０００１】
本発明は、軒樋内にイルミネーションライトを取付けた、軒樋イルミネーション構造およびこれに使用されるイルミネーションライト取付け部材に関するものである。
【背景技術】
【０００２】
昨今、一般住宅の外観をカラフルなイルミネーションで飾る趣向が増加しているが、住宅の外観に合わせてすっきりと納まるものはなく、後付けで適当にイルミネーションの配線を外壁に這わせて取付けることが一般的である。
【０００３】
しかしながら、イルミネーションを後付けした場合、住宅の外壁に配線を這わせる作業が必要であり、一般施主が行う作業としては危険であるという問題点を有していた。また、昼間は住宅の外壁に這わせたイルミネーションの配線は、外観意匠を損なうという問題点を有していた。
【０００４】
一方、従来の軒樋は、夜間は暗く、全く見えない存在であり、雨水を排水する機能と、住宅の軒先を飾る外観デザインに重点を置き、あまり目立たせないのが一般的であった。例えば、特許文献１、２のように、軒樋と軒先前面とのスペースを体裁よく埋め、軒先下方を照らす軒樋が開示されるに留まっていた。
【特許文献１】特開２００４−１４３８２２号公報
【特許文献２】特開平８−３２６２４２号公報
【発明の開示】
【発明が解決しようとする課題】
【０００５】
本発明は、以上の通りの事情に鑑みてなされたものであり、住宅の外壁にイルミネーションの配線を這わせることなく、昼間の外観意匠を崩さずに、軒樋内にイルミネーションライトを取付けて、従来目立たせることのなかった軒樋をイルミネーションによって飾る、軒樋イルミネーション構造およびこれに使用されるイルミネーションライト取付け部材を提供することを課題としている。
【課題を解決するための手段】
【０００６】
本発明は、上記の課題を解決するために、第１には、軒樋の内側に取付けられたイルミネーションライト取付け部材にイルミネーションライトが取付けられていて、イルミネーションライト本体および配線が軒樋内に内蔵されるとともに、イルミネーションライト発光部が軒樋の外側に露出していることを特徴とする。
【０００７】
第２には、上記第１の発明に使用されるイルミネーションライト取付け部材を、第３には、軒樋の前壁面先端の前方耳部を覆い嵌合する耳受け部と、イルミネーションライト本体を挟持するクリップ部とが設けられていることを特徴とし、第４には、イルミネーションライト取付け部材のクリップ部の後方には、イルミネーションライトの挿入孔が設けられていることを特徴とする。
【発明の効果】
【０００８】
第１および第２の発明によれば、イルミネーションライト本体および配線が軒樋内に内蔵されているため、住宅の外壁にイルミネーションの配線を這わせることなく、昼間の外観意匠を崩さずに、軒樋内にイルミネーションライトを取付けて、従来目立たせることのなかった軒樋をイルミネーションによって飾ることができる。
【０００９】
第３の発明によれば、イルミネーションライト取付け部材によって、軒樋の前壁面先端の前方耳部との嵌合と、イルミネーションライトを挟持するのみで軒樋内にイルミネーションライトを取付けることができ、取付け作業を容易なものにすることができる。
【００１０】
第４の発明によれば、イルミネーションライト取付け部材を軒樋に取付けた後に、イルミネーションライトをイルミネーションライト取付け部材の後方から挿入することによって軒樋内にイルミネーションライトを取付けることができ、さらに取付け作業を容易なものにすることができ、また、イルミネーションライトのみ取外すことができ、メンテナンス等を容易にすることができる。
【発明を実施するための最良の形態】
【００１１】
本発明では、イルミネーションとは、電球や発光ダイオード（ＬＥＤ）等による電飾体の意で使用し、より具体的には、イルミネーション、イルミネーションライト、イルミネーションライト本体およびイルミネーションライト発光部という用語の定義は、図６に示すように、複数のイルミネーションライト４１が配線４４によって連結されている全体をイルミネーション４として、イルミネーションライト４１は、発光する部分をイルミネーションライト発光部４３とし、イルミネーションライト発光部４３と配線４４との間にある部分をイルミネーションライト本体４２として記載している。
【００１２】
図１は、本発明の軒樋イルミネーション構造の一実施形態の側面要部拡大図である。
【００１３】
図１に示されるように、本発明の軒樋イルミネーション構造１は、軒樋２の内側に取付けられたイルミネーションライト取付け部材３にイルミネーションライト４１が取付けられていて、イルミネーションライト本体４２および配線４４が軒樋２内に内蔵されるとともに、イルミネーションライト発光部４３が軒樋２の外側に露出していることを特徴としている。
【００１４】
このような軒樋イルミネーション構造１およびこれに使用されるイルミネーションライト取付け部材３によって、軒樋２内にイルミネーションライト４１を取付けて、従来目立たせることのなかった軒樋２をイルミネーション４によって飾ることができるのである。
【００１５】
より具体的な実施形態としては、例えば、図１に示されるように、イルミネーションライト取付け部材３は、軒樋２の前壁面２１先端の前方耳部２２を覆い嵌合する耳受け部３１とイルミネーションライト４１を挟持するクリップ部３２とが設けられ、前記耳受け部３１をもって軒樋２の前壁面２１先端の前方耳部２２に嵌合取付けされ、イルミネーションライト本体４２はイルミネーションライト取付け部材３のクリップ部３２に挟持され、イルミネーションライト発光部４３は軒樋２の前壁面２１に穿設された照明穴２３から軒樋２の外側に露出している軒樋イルミネーション構造１が例示される。そして、図１ようなイルミネーションライト取付け部材３とすることによって、軒樋２の前壁面２１先端の前方耳部２２との嵌合と、イルミネーションライト本体２２を挟持のみで軒樋内にイルミネーションライトを取付けることができ、取付け作業を容易なものにすることができるため好ましい。
【００１６】
図２は、本発明の軒樋イルミネーション構造において使用されるイルミネーションライト取付け部材の側面図および後方図である。（ａ）は軒樋長手方向に短尺のイルミネーションライト取付け部材、（ｂ）は軒樋長手方向に長尺のイルミネーションライト取付け部材である。
【００１７】
本発明の軒樋イルミネーション構造１において使用されるイルミネーションライト取付け部材３は、軒樋２と同様に金属製薄板の両面に合成樹脂層を積層化した板材の折曲成形体等が例示されるが、その材料については限定されない。また、イルミネーションライト取付け部材３は、図２（ａ）のように、イルミネーションライト取付け部材３を軒樋２の長手方向に短尺として、イルミネーションライト４１を一つずつイルミネーションライト取付け部材３に取付けても、図２（ｂ）のように、イルミネーションライト取付け部材３を軒樋２の長手方向に長尺として、複数のイルミネーションライト４１を一つのイルミネーションライト取付け部材３に取付けてもよい。イルミネーションライト取付け部材３を短尺とすることによって、取付けの際の微調整に都合がよく、長尺とすることによって取付け作業効率がよくなるため、どちらも状況に合わせて組み合わせて使用することが好ましい。
【００１８】
図３は、本発明の軒樋イルミネーション構造の取付け作業工程であり、図４は、図３と異なる本発明の軒樋イルミネーション構造の取付け作業工程である。
【００１９】
たとえば、図３に示されるように、イルミネーションライト取付け部材３のクリップ部３２の後方に、イルミネーションライト４１の挿入孔３３が設けられていることによって、（ａ）イルミネーションライト取付け部材３の耳受け部３１を軒樋２の前方耳部２２に押し広げながら入れ込んで嵌合させた後、（ｂ）イルミネーションライト４１をイルミネーションライト取付け部材３の後方の挿入孔３３から挿入することによって、（ｃ）軒樋２内にイルミネーションライト４１を取付けることができ、取付け作業を容易なものにすることができ、また、イルミネーションライト４１のみを取外すことができ、メンテナンス等を容易にすることができるため好ましい。ただし、イルミネーションライト取付け部材３のイルミネーションライト４１の挿入孔３３が穿設されていなくとも、図４に示されるように、あらかじめ（ａ）イルミネーションライト取付け部材３のクリップ部３２にイルミネーションライト４１を前方から挿入した後に、（ｂ）イルミネーションライト取付け部材３の耳受け部３１を軒樋２の前方耳部２２に押し広げながら入れ込んで嵌合させれば、（ｃ）軒樋２内にイルミネーションライト４１を取付けることもできる。
【００２０】
ここで、さらに詳細な実施形態としては、図１、３、４に示されるように、軒樋２の側面視で、軒樋２の前壁面２１には凹部２４が形成されていて、凹部２４の位置に軒樋２の前壁面２１の照明穴２３を穿設したり、軒樋２の前壁面２１の照明穴２３の上方において前下方向に突出した雨垂れ部２５を形成したりすることによって、イルミネーションライト４１が雨や雪等に曝されないようにすることができ、イルミネーションライト４１の故障等を防止することができるため好ましい。
【００２１】
図５は、本発明の軒樋イルミネーション構造の一実施形態が形成された軒樋全体の側面図である。
【００２２】
本発明の軒樋イルミネーション構造は、たとえば、図５に示されるようなものとして形成されるが、当然に、イルミネーションライト４１の故障や軒樋２の照明穴２３からの漏水を防止するために、軒樋２の前壁面２１先端の前方耳部２２の方が後壁面２６先端の後方耳部２７よりも高く形成され、さらにイルミネーションライト４１、配線４４、照明穴２３等は、軒樋２内に溜まりうる雨水の最大水位（図４点線）よりも高い位置、つまり後壁面２６先端の後方耳部２７よりも高い位置であることが好ましいことは言うまでもなく、防水加工されたイルミネーションを使用したり、漏水防止のための特殊な構造の形成を行う必要がなくなる。
【００２３】
もちろん本発明は以上の例に限定されるものではなく、細部については様々な態様が可能であることは言うまでもない。
【図面の簡単な説明】
【００２４】
【図１】本発明の軒樋イルミネーション構造の一実施形態の側面要部拡大図である。
【図２】本発明の軒樋イルミネーション構造において使用されるイルミネーションライト取付け部材の側面図および後方図である。（ａ）は軒樋長手方向に短尺のイルミネーションライト取付け部材、（ｂ）は軒樋長手方向に長尺のイルミネーションライト取付け部材である。
【図３】本発明の軒樋イルミネーション構造の取付け作業工程である。
【図４】図３と異なる本発明の軒樋イルミネーション構造の取付け作業工程である。
【図５】本発明の軒樋イルミネーション構造の一実施形態が形成された軒樋全体の側面図である。
【図６】イルミネーション全体図である。
【符号の説明】
【００２５】
１  軒樋イルミネーション構造
２  軒樋
２１  前壁面
２２  前方耳部
２３  照明穴
２４  凹部
２５  雨垂れ部
２６  後壁面
２７  後方耳部
３  イルミネーションライト取付け部材
３１  耳受け部
３２  クリップ部
３３  挿入孔
４  イルミネーション
４１  イルミネーションライト
４２  イルミネーションライト本体
４３  イルミネーションライト発光部
４４  配線
【図１】
2008267063.tif 000003
【図２】
2008267063.tif 000004
【図３】
2008267063.tif 000005
【図４】
2008267063.tif 000006
【図５】
2008267063.tif 000007
【図６】
2008267063.tif 000008